(57)【要約】販売者のＷｅｂページへユーザを自動的に誘導することが可能で、且つアフィリエイタへの報酬の支払い漏れの生じることがないアフィリエイト販売システムを提供する。  アフィリエイタを識別するためのアフィリエイトＩＤ、及び商品を識別するための商品ＩＤを引数ＵＲＬとして、該引数ＵＲＬをアフィリエイト販売システムのＵＲＬに付加したＵＲＬ情報を誘導用リンクとして生成する誘導リンク生成手段と、前記誘導用リンクのクリック操作に応答し、該操作元のユーザ端末のアクセス先ＵＲＬを前記アフィリエイト販売システムのＵＲＬから前記販売者のＷｅｂページのＵＲＬにアドレス変換するアドレス変換手段とを、前記アフィリエイト販売システムのサーバに備えた構成とする。
2009008091.tif 000002
【特許請求の範囲】
【請求項１】
メールマガジン又はブログ上にアフィリエイタによって紹介された商品のページに貼付した誘導用リンクに基づいて前記商品の販売者のＷｅｂページである販売者ページに誘導する機能を有するサーバを備えたアフィリエイト販売システムであって、
前記サーバは、
前記アフィリエイタを識別するためのアフィリエイトＩＤ、及び前記商品を識別するための商品ＩＤを引数ＵＲＬとして、該引数ＵＲＬを前記アフィリエイト販売システムのＵＲＬに付加したＵＲＬ情報を前記誘導用リンクとして生成する誘導リンク生成手段と、
前記誘導用リンクのクリック操作に応答し、該操作元のユーザ端末のアクセス先ＵＲＬを前記アフィリエイト販売システムのＵＲＬから前記販売者ページのＵＲＬにアドレス変換するアドレス変換手段と、を含むことを特徴とするアフィリエイト販売システム。
【請求項２】
前記誘導リンク生成手段は、前記販売者ページのＵＲＬを前記引数ＵＲＬに含めて前記誘導用リンクを生成すること特徴とする請求の範囲第１項に記載のアフィリエイト販売システム。
【請求項３】
前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレスの変換の処理を行うことを特徴とする請求の範囲第２項に記載のアフィリエイト販売システム。
【請求項４】
販売対象の商品の解説文及び前記販売者ページのＵＲＬを含む商品情報が格納された商品情報データベースを備え、前記アドレス変換手段は、前記誘導用リンク内に前記販売者ページのＵＲＬが存在しない場合は、前記商品ＩＤ又は前記販売者を識別するための販売者ＩＤに関連付けられて記憶されている前記販売者ページのＵＲＬを前記商品情報データベースから取得し、該ＵＲＬに基づき、前記アドレスの変換の処理を行うことを特徴とする請求の範囲第１項に記載のアフィリエイト販売システム。
【請求項５】
前記サーバは、ユーザ端末の画面上に表示されている前記誘導用リンクのクリック操作に応答して、前記商品ＩＤ又は前記販売者を識別するための販売者ＩＤと前記アフィリエイトＩＤとを記録したクッキーを前記ユーザ端末に設定する手段を更に含むことを特徴とする請求の範囲第１項に記載のアフィリエイト販売システム。
【請求項６】
前記サーバは、ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得する手段を更に含むことを特徴とする請求の範囲第１項に記載のアフィリエイト販売システム。
【請求項７】
前記サーバは、ユーザ端末の画面上に表示されている前記誘導用リンクのクリック操作に応答して、前記商品ＩＤ又は前記販売者を識別するための販売者ＩＤと前記アフィリエイトＩＤとを記録した情報を情報記憶媒体に記憶する手段を更に含むことを特徴とする請求の範囲第１項に記載のアフィリエイト販売システム。
【請求項８】
前記サーバは、前記アフィリエイタに支払う報酬額を自動的に決定し前記アフィリエイタの口座へ自動的に振込む決済手段を更に含むことを特徴とする請求の範囲第１項に記載のアフィリエイト販売システム。
【発明の詳細な説明】
【技術分野】  本発明は、アフィリエイト・プログラムを実施するコンピュータシステムに関する。
【背景技術】  近年、新たな広告手法として、アフィリエイト・プログラム（アソシエイト・プログラムとも言う）が注目されている。
アフィリエイト・プログラムとは、ユーザが何らかのトランザクション（商品の購入、アンケートへの記入、会員登録など）をブラウザにより発生させて初めて広告料がアフィリエイトに支払われる成果報酬型の広告配信手法である。アフィリエイト・プログラムでは、個人や企業のＷｅｂ（ウェブ）サイトやメールマガジンの運営者が、広告主（マーチャント）の広告を自身のサイトに配置し、そのサイトを訪れた訪問客の広告主のＥＣ（Ｅｌｅｃｔｒｏｎｉｃ  Ｃｏｍｍｅｒｃｅ）サイトへの誘導をはかるようにしている。そして、誘導された訪問客が広告を経由してＥＣサイトへ進み、サービスや商品の購入、会員申込みなどを達成した際に、誘導元のサイトへの成果報酬が発生するようになっている。
アフィリエイト・プログラムを実施するためには、例えば、ユーザが閲覧したマーチャントサイトを特定し、ブラウザが最終的にトランザクションに関わるイベント（商品購入指示、アンケート記入、会員登録指示など）を発生させるまでの情報流通経路を追跡（トラッキング）する処理を実行する必要がある。このようなトラッキング処理には、クッキー（Ｃｏｏｋｉｅ）が利用されている。例えば、販売者のサイトにリンク誘導させるＵＲＬの中にトラッキング情報（アフィリエイトＩＤのＵＲＬ）を組み込み、その情報を用いてアフィリエイトに対する成功報酬の計算などを行うようにしたものがある（例えば日本国特開２００６−１１３８８４号公報を参照）
【発明の開示】
上述のようなクッキーを利用したトラッキング技術は、ユーザ端末がＰＣである場合には有効であるが、携帯電話機のように、情報保存先としてクッキーを使えないユーザ端末では利用することができない。ブラウザを実装した携帯電話機が普及してきた現在、ブラウザフォンのユーザを対象としたアフィリエイト・プログラムの出現が要望されている。
また、アフィリエイト・プログラムの機能を搭載したシステム（以下、「アフィリエイト販売システム」と呼ぶ）にいては、アフィリ誘導用リンクなどが商品毎に固有の機能を持っているのが原則である。従来のアフィリエイト販売システムにおいては、通常の商品販売処理には報酬の支払い漏れの問題がなかったが、例えば、発行者が複数の商品を販売している場合、商品Ａの誘導用リンクで、販売者（発行者）のサイトへ誘導しても、購入者の気が変わって、商品Ｂを購入した場合は、アフィリエイタへの報酬の支払いが成り立たず、報酬が無効となっていました。これは、クッキーで記録する内容が、商品指定コードとアフィリエイトＩＤの組み合わせだからであり、販売者との関連が特定できないことに起因している。
更に、従来のアフィリエイト販売システムにおいては、ヒットカウンタのように販売や紹介カウントにて報酬を支払う方式が標準であり、課金，決済の仕組みを待っていなかった。そのため、請求書を人手で作成して報酬を支払うなど、非効率的であり、入力ミス等が生じる恐れもあった。
本発明は上述のような事情から成されたものであり、本発明の目的は、販売者のＷｅｂページへユーザを自動的に誘導することが可能で、且つアフィリエイタへの報酬の支払い漏れの生じることがないアフィリエイト販売システムを提供することにある。本発明の他の目的は、上記販売者のＷｅｂページへの誘導が可能で且つアフィリエイタに支払う報酬額の自動決済が可能なアフィリエイト販売システムを提供することにある。
本発明は、アフィリエイト・プログラムを実施するコンピュータシステムに関するものであり、本発明の上記目的は、メールマガジン又はブログ上にアフィリエイタによって紹介された商品のページに貼付した誘導用リンクに基づいて前記商品の販売者のＷｅｂページである販売者ページに誘導する機能を有するサーバを備えたアフィリエイト販売システムであって、前記サーバは、前記アフィリエイタを識別するためのアフィリエイトＩＤ、及び前記商品を識別するための商品ＩＤを引数ＵＲＬとして、該引数ＵＲＬを前記アフィリエイト販売システムのＵＲＬに付加したＵＲＬ情報を前記誘導用リンクとして生成する誘導リンク生成手段と、前記誘導用リンクのクリック操作に応答し、該操作元のユーザ端末のアクセス先ＵＲＬを前記アフィリエイト販売システムのＵＲＬから前記販売者ページのＵＲＬにアドレス変換するアドレス変換手段と、を含むことによって達成される。
さらに、本発明の上記目的は、前記誘導リンク生成手段は、前記販売者ページのＵＲＬを前記引数ＵＲＬに含めて前記誘導用リンクを生成すること、前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレスの変換の処理を行うこと、販売対象の商品の解説文及び前記販売者ページのＵＲＬを含む商品情報が格納された商品情報データベースを備え、前記アドレス変換手段は、前記誘導用リンク内に前記販売者ページのＵＲＬが存在しない場合は、前記商品ＩＤ又は前記販売者を識別するための販売者ＩＤに関連付けられて記憶されている前記販売者ページのＵＲＬを前記商品情報データベースから取得し、該ＵＲＬに基づき、前記アドレスの変換の処理を行うこと、前記サーバは、ユーザ端末の画面上に表示されている前記誘導用リンクのクリック操作に応答して、前記商品ＩＤ又は前記販売者を識別するための販売者ＩＤと前記アフィリエイトＩＤとを記録したクッキーを前記ユーザ端末に設定する手段を更に含むこと、前記サーバは、ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得する手段を更に含むこと、前記サーバは、ユーザ端末の画面上に表示されている前記誘導用リンクのクリック操作に応答して、前記商品ＩＤ又は前記販売者を識別するための販売者ＩＤと前記アフィリエイトＩＤとを記録した情報を情報記憶媒体に記憶する手段を更に含むこと、前記サーバは、前記アフィリエイタに支払う報酬額を自動的に決定し前記アフィリエイタの口座へ自動的に振込む決済手段を更に含むことによってそれぞれ一層効果的に達成される。
（発明の効果）
本発明によれば、商品のページに貼り付けた誘導用リンクをユーザが画面上でクリックするだけで、一旦販売者のＷｅｂページへユーザを自動的に誘導することが可能となる。この誘導により、通常のショッピングサイトへ出品した場合の情報不足を補い、購買意欲を駆り立てる効果を奏することができる。また、誘導用リンク内にアフィリエイトＩＤを含めるようにしているので、誘導用リンクからアフィリエイトＩＤを得ることができ、アフィリエイタへの報酬の支払い漏れが生じないアフィリエイトシステムを実現することが可能となる。更に、アフィリエイタの口座へ報酬額を自動的に振込む決済手段を備えることで、請求書を人手で作成して報酬を支払うなど、非効率的な作業をなくすことができると共に、報酬額等の入力ミスや入力データの改竄による不正行為をなくすことが可能となる。
【図面の簡単な説明】  図１は、本発明に係るアフィリエイト販売システムの構成を示す模式図である。
図２は、本発明に係る販売者情報の登録処理を説明するためのフローチャートである。
図３は、本発明における商品情報登録画面の一例を示す模式図である。
図４は、本発明に係わるアフィリエイト販売処理を説明するための模式図である。
図５は、本発明に係わるアフィリエイトＩＤの取得処理を説明するためのフローチャートである。
図６は、本発明に係わるアドレス変換処理を説明するためのフローチャートである。
図７は、本発明における商品の第１の購入パターンにおける画面遷移の例を示す模式図である。
図８は、本発明における商品の第２の購入パターンにおける画面遷移の例を示す模式図である。
図９は、図８の分図である。
図１０は、本発明における商品の第３の購入パターンにおける画面遷移の例を示す模式図である。
図１１は、図１０の分図である。
【符号の説明】
１    販売者
２    アフィリエイタ
３    購入者
１１ａ，１１ｂ，１１ｃ  クライアント（通信端末）
２０  販売者のページが掲載されているＷｅｂサーバ
３０  アフィリエイト販売システム
４１  販売者情報データベース
４２  アフィリエイタ情報データベース
４３  商品情報データベース
４４  購入者情報データベース
【発明を実施するための最良の形態】  図１は、本発明に係るアフィリエイト販売システムの構成を示す模式図である。
図１に示すアフィリエイト販売システム３０は、ＡＳＰ（Ａｆｆｉｌｉａｔｅ  Ｓｅｒｖｉｃｅ  Ｐｒｏｖｉｄｅｒ）が運営管理する情報処理システムであり、報酬料金の課金，決済システムを含めて、アフィリエイトサービスに係る全ての処理を行うコンピュータシステムである。アフィリエイト販売システム３０は、Ｗｅｂサーバ、データベースサーバ、決済処理用サーバ、及び運営管理用サーバなど、アフィリエイト・プログラムを実現するための複数のコンピュータとデータベースとを備えている。
アフィリエイト販売システム３０内のデータベースサーバは、主要なデータベース（ＤＢ）として、図１中に示すように、商品の販売者１（発行者又は商品提供者とも言う）の情報を格納する販売者情報データベース４１、アフィリエイタ２の情報を格納するアフィリエイタ情報データベース４２、販売対象となる商品の情報を格納する商品情報データベース４３、及び購入者３の情報を格納する購入者情報データベース４４を備えている。
販売者１の通信端末１１ａ、アフィリエイタ２の通信端末１１ｂ、及び購入者３の通信端末１１ｃは、それぞれブラウザを実装したユーザ端末であり、各ユーザ端末とアフィリエイト販売システム３０とは、インターネット等の通信ネットワークを介して相互に通信可能に接続される。各通信端末１１ａ〜１１ｃは、パーソナルコンピュータ（ＰＣ）、携帯電話機、ＰＤＡ（Ｐｅｒｓｏｎａｌ  Ｄｉｇｉｔａｌ  Ａｓｓｉｓｔａｎｔｓ）など、インターネット接続機能を有する任意の情報処理装置を利用することができる。
なお、アフィリエイト販売に係る情報処理をコンピュータに実行させるためのプログラム及び制御データ類は、外部記憶媒体に格納されていると共に、アフィリエイト販売システム３０内の当該コンピュータの記憶手段に格納されている。
ここで、販売者１、アフィリエイタ２、購入者３について説明する。
本実施形態で言う「販売者」とは、電子商材を販売し、購入者に対して商品を提供する人（商品の発行者や出品者など、商品提供者）のことを指している。販売者１の情報としては、アフィリエイト販売システム３０が有するサービスを受けるため、販売者１の名前，住所などのユーザ情報が販売者情報データベース４１に登録されている。
「アフィリエイタ」とは、自身のサイトで商品発行者の商品を紹介販売することで貰える販売マージンを稼ぐ人（紹介者）のことを指している。アフィリエイタ２の情報としては、アフィリエイト販売システム３０が提供するサービスを受けるため、アフィリエイタ２の名前，住所などのユーザ情報がアフィリエイタ情報データベース４２に登録されている。
「購入者」とは、出品された商品等を購入する人のことを指している。購入者３の情報としては、アフィリエイト販売システム３０にて販売者１（商品提供者）からの商品発送やサービス提供を受けるために、購入者３の名前、住所などのユーザ情報が購入者情報データベース４４に登録されている。
このような構成において、先ず、アフィリエイト販売システム３０における課金処理と決済処理について説明する。
本発明に係るアフィリエイト販売システム３０は、購入者３が商品を購入する際の課金処理を行う課金手段を備えており、購入者３が購入した商品の代金は、一旦全てアフィリエイト販売システム３０の運営会社の口座に入金される。アフィリエイト販売システム３０では、販売者１への売上支払い金額の中から、アフィリエイタ２への紹介報酬の振込金額を控除し、本システム利用料を差し引いた上で、販売者１の口座へ自動的に振込むようにしている。同様に、アフィリエイタ２に対しても、アフィリエイタ２の口座へ自動的に振込むことによって報酬を支払うようにしている。
それらの報酬の支払処理に係る情報処理手段として、アフィリエイト販売システム３０は、課金手段によってデータベースに蓄積して記憶される課金情報、及びデータベース４１，４２に登録されているユーザ情報に基づき、アフィリエイタ２に支払う報酬額（及び販売者１に支払う代金）を自動的に決定する手段と、決定された報酬額（及び代金）の情報に基づいで決済データを生成する手段と、例えばスケジュール情報に基づいてバッチ処理プログラムを起動し、決済データに基づいて当該金融機関のコンピュータとの間で決済処理を自動的に実行する手段とを備えている。
上記報酬の支払処理は、アフィリエイト販売システム３０の決済処理用サーバによって実行される。例えば、仮に１月に発生した売上があると仮定すると、１月に発生した売上は、例えば２月２５日に販売者１に対し報酬を支払い、２月末にはアフィリエイタ２に対して、販売者１の売上よりアフィリエイト報酬（報酬額は販売者１により異なる額）を支払う。なお、決済の形態としては、カード決済と銀行振込決済とが選択可能である。
次に、アドレス変換を使ったアフィリエイト販売処理について説明する。
本発明のアフィリエイト販売システム３０が有するアフィリエイト販売の仕組みは、メールマガジンなどに貼り付けたリンクで、販売者１のＷｅｂサイトにアドレス変換手段にて、リンク誘導して、そこに貼り付けた購入リンクで購入させるものである。
本実施の形態においては、販売者１のＷｅｂサイトにリンク誘導させるためのリンク情報（以下「アフィリリンク」又は「誘導用リンク」と呼ぶ）として、アフィリエイト販売システム３０のＵＲＬに、アフィリエイタ２を識別するためのＩＤ（以下「アフィリエイトＩＤ」と呼ぶ）と、販売者ページ（販売者１のＷｅｂページ）のＵＲＬと、商品を識別するための商品ＩＤとを、引数（「引数ＵＲＬ」と呼ぶ）として付加したＵＲＬ情報を、生成する手段（以下「誘導リンク生成手段」と呼ぶ）を備えている。
誘導リンク生成手段では、例えば、アフィリエイト販売システム３０のＷｅｂ際とサーバのドメイン名を「ＷＷＷ．ｘｙｚ．ＪＰ」、アフィリエイトＩＤを「ａｂｃ」、販売者ページのＵＲＬを「ｄｅｆ．ＪＰ／ｇｈｉ．ｈｔｍｌ」、商品ＩＤを「ｎｎｎ」とすると、次のようなアフィリリンクを生成する。言い換えると、誘導リンク生成手段は、アフィリエイト販売システム３０のＵＲＬの下位に、（ａ１）アフィリエイトＩＤと（ａ２）販売者ページのＵＲＬと（ａ３）商品ＩＤとを引数として付加したリンク情報を生成する。
＜アフィリリンク（誘導用リンク）の一例＞
ｈｔｔｐ：／／ｗｗｗ．ｘｙｚ．ｊｐ／ａｆ．ｐｈｐ？ａｆ＝ａｂｃ＆ｕｒｌ＝ｄｅｆ．ｊｐ／ｇｈｉ．ｈｔｍｌ＆ｉｔｅｍ＝ｎｎｎ
本例では、“ａｆ＝”の後ろに付いているコードが紹介者であるアフィリエイトＩＤ、“ｕｒｌ＝”の後ろに付いているＵＲＬが販売者ページのＵＲＬ、“ｉｔｅｍ＝”の後ろに付いている情報が、商品ＩＤ（システム内ユニーク番号）としている。
このアフィリリンクで誘導されると、アフィリエイト販売システム３０は、購入見込客の通信端末１１ｃに、商品ＩＤ（又は販売者１のＩＤ）とアフィリエイタ２のＩＤとを記録したクッキーを設定する。言い換えると、購入者３による画面上での誘導用リンクのクリック操作に応答して、購入者端末１１ｃに、商品ＩＤ又は販売者ＩＤとアフィリエイトＩＤとを記録したクッキーを設定する手段を備えている。これにより、誰がその商品の紹介者であったのかを、クッキーが有効期限α日間（例えばα＝３０）保持することができる。
そのため、この段階で、購入見込客がＵＲＬアドレス（アフィリリンクを組み込んだＵＲＬアドレス）をブラウザの「お気に入りリスト」に入れた場合、購入見込客が、後から商品（商品ＩＤで特定される商品）を購入してもα日の有効期限内であれば、その商品の紹介者（アフィリエイタ２）が誰であるかが固定されていることになる。
販売者ページには、この仕組みにて商品が購入されるように、以下の例に示すように、商品ＩＤ「ｎｎｎ」のリンク（「購入リンク」と呼ぶ）を設定する。
＜購入リンクの一例＞
ｗｗｗ．ｘｙｚ．ｊｐ／ａ．ｐｈｐ？ｉｔｅｍ＝ｎｎｎ
本例では、「ｉｔｅｍ＝」の後ろについているのが、商品ＩＤである。ここでは、紹介者であるアフィリエイトＩＤは記述されていない。その理由は、クッキーまたはセッションによりアフィリエイトＩＤを記憶して保持するようにしており、アフィリエイトＩＤは、ユーザには見えない所で復元されて機能しているからである。
このＵＲＬアドレス変換を含んだ仕組みが、本発明に係るアフィリエイト販売システムの最大の特徴である。
以下、具体的な実施例を示して、上記アドレス変換に係るアフィリエイト販売システム３０の処理について説明する。なお、ここでは、必要な情報の登録処理を含めて順次説明し、アドレス変換に係るシステム全体の動作例は後述するものとする。
《１．販売者情報の登録処理》
図２は、販売者情報の登録処理の流れを示すフローチャートであり、販売者１の情報の登録処理を同図の流れに沿って説明する。
販売者１は、ＰＣ等の通信端末１１ａからアフィリエイト販売システム３０内のＷｅｂサーバにアクセスし、Ｗｅｂページ内の販売者情報の登録メニューをクリックする。アフィリエイト販売システム３０では、販売者の仮登録画面を通信端末１１ａ側の表示部に表示する。販売者の仮登録画面にはメールアドレスの入力欄が設けられており、販売者１に対して、先ず電子メールアドレスの入力を促す（ステップＳ１）。メールアドレスのデータを受信したＷｅｂサーバは、正式登録用ＵＲＬをメールで通知し、仮登録の受付処理を完了する（ステップＳ２）。
通信端末１１ａから正式登録用ＵＲＬによってアクセスされたＷｅｂサーバは、正式登録画面を通信端末１１ａ側の表示部に表示し、クレジットカードの情報（カード番号，有効期限）と初期登録料の情報を入力し、初期登録料のクレジット決済処理を実行する。本実施の形態では、クレジット決済が正常に終了した場合に、販売者１が審査基準を満たしていると判定し（ステップＳ３）、販売者１の正式登録処理を実行する。販売者１の正式登録画面には、販売者情報（販売者１の名前、住所、電話番号、パスワード、銀行口座情報、販売者ＩＤ等）の入力欄が設けられており、Ｗｅｂサーバは、その販売者情報を受信し、販売者ＩＤ等で検索可能に、購入者情報データベース４４に登録し（ステップＳ４）、販売者情報の登録処理を完了する（ステップＳ５）。ここでの販売者情報の登録は、法規上の販売者情報の蓄積と売上の振込情報を蓄積することが主な目的である。なお、アフィリエイト販売システム３０のサイト内では、販売者のことを「発行者」と呼んでいるが、本実施の形態では「販売者」と称している。
《２．アフィリエイタ情報の登録処理》
次に、アフィリエイタ２の情報の登録処理を説明する。なお、情報の登録処理に係る動作は、販売者情報の登録処理と同様であり、以下、簡略化して説明する。
アフィリエイタ２の通信端末１１ｂの表示部に表示される情報登録画面には、アフィリエイタ情報（アフィリエイタ２の名前、住所、電話番号、秘密の鍵（パスワード）、銀行口座情報、アフィリエイトＩＤ等）が設けられており、Ｗｅｂサーバは、そのアフィリエイタ情報を受信し、アフィリエイトＩＤ等で検索可能に、アフィリエイタ情報データベース４２に登録する。そのアフィリエイトＩＤは、販売における紹介ＩＤとなる。
《３．商品情報の登録処理》
次に、販売者１が発行（出品）する商品の情報の登録処理を説明する。
図３は、販売者１の通信端末１１ａの表示部に表示される商品情報登録画面の一例を示している。商品情報登録画面には、商品名、提供価格、商品の解説文、販売者ページのＵＲＬ、商品の写真（図３の次の画面：図は省略）等の入力欄が設けられており、販売者１は、販売を希望する商品の情報を画面上で入力する。Ｗｅｂサーバは、その商品情報を受信し、商品ＩＤを自動的に付与し（本例ではシステム固有の商品番号ｎｎｎを採番）、商品ＩＤ、販売者を識別するための販売者ＩＤ等で検索可能に、商品情報データベース４３に登録する。
《４．アフィリエイト・リンクの生成処理》
次に、販売者１のウェブページに誘導させるアフィリエイト・リンク（前述のアフィリリンク）の生成処理を説明する。
先ず、前述のアフィリエイタ情報を登録したアフィリエイタ２は、自身のサイトで商品を紹介したい場合は、通信端末１１ｂからアフィリエイト販売システム３０にアクセスする。アフィリエイト販売システム３０は、ログインＩＤ、パスワードのチェックによってアフィリエイタ２の認証を行った後、商品の一覧を示す商品リストの画面を通信端末１１ｂの表示部に表示する。アフィリエイタ２は、商品リストの中から好みの商品を選び、前述の誘導リンク生成手段によって生成される以下のアフィリリンクを、自分のブログやメールマガジンに貼り付けることによって、購入者を誘導する。なお、以下に示す第１の例は、前述のアフィリリンクの例と同一構成のため、ここでは説明を省略する。
＜アフィリリンク（誘導用リンク）の第１の例＞
ｈｔｔｐ：／／ｗｗｗ．ｘｙｚ．ｊｐ／ａｆ．ｐｈｐ？ａｆ＝ａｂｃ＆ｕｒｌ＝ｄｅｆ．ｊｐ／ｇｈｉ．ｈｔｍｌ＆ｉｔｅｍ＝ｎｎｎ
（ａｆ＝の後の情報がアフィリエイトＩＤ、ｕｒｌ＝の後の情報が販売者ページのＵＲＬ、ｉｔｅｍ＝の後の情報が商品ＩＤ）
例えば、購入者３（購入希望者）が、アフィリエイタ２のブログのＷｅｂ画面上で上記アフィリリンクをクリックすると、最初のアクセス先であるアフィリエイト販売システム３０を介して、リンク先である販売者ページのＵＲＬ（本例では「ｄｅｆ．ＪＰ／ｇｈｉ．ｈｔｍｌ」）に移動し、購入者３の通信端末１１ｃの表示部に、商品ＩＤ「ｎｎｎ」に対応する商品の情報が表示される。その際、アフィリエイト販売システム３０は、アフィリリンク内の商品ＩＤを基に、当該商品（商品ＩＤ＝“ｎｎｎ”で特定される商品）の情報を商品情報データベース４３から抽出すると共に、アフィリリンク内の販売者ページのＵＲＬ（ｕｒｌ＝“＊＊＊＊＊…”、本例では“ｄｅｆ．ｊｐ／ｇｈｉ．ｈｔｍｌ”）から、アクセス先の販売者ページのＵＲＬを認識する。更に、当該商品の紹介者は、アフィリリンク内のアフィリエイトＩＤ（ａｆ＝“＊＊＊＊＊…”、本例では“ａｂｃ”）基に、当該商品の紹介者（アフィリエイタ２）を特定し、アフィリエイタ情報データベース４２から、アフィリエイタ２の情報を抽出する。
次に、アフィリリンクの第２の例について説明する。
「３．商品情報の登録処理」で説明したように、商品情報データベース４３に登録されている商品情報の中には、「販売者ページのＵＲＬ」の情報も含まれている。そこで、アフィリリンクは以下の形式でも実現可能である。
＜アフィリリンク（誘導用リンク）の第２の例＞
ｈｔｔｐ：／ｗｗｗ．ｘｙｚ．ｊｐ／ａｆ．ｐｈｐ？ａｆ＝ａｂｃ＆ｉｔｅｍ＝ｎｎｎ
（ａｆ＝の後の情報がアフィリエイトＩＤ、ｉｔｅｍ＝の後の情報が商品ＩＤ）
アフィリリンクの第１の例では、誘導リンク生成手段により生成するアフィリリンクは、アフィリリンク内に販売者ページのＵＲＬを含める形式としていたが、第２の例では、販売者ページのＵＲＬは、商品ＩＤ又は販売ＩＤを基に商品情報データベース４３から得た商品情報より再現する。なお、いずれの例としても良いが、第１の例の方が処理速度の点などで好ましい。
《５．アドレス変換による販売者ページへの誘導処理》
次に、販売者ページへの誘導処理について説明する。
本発明に係るアフィリエイト販売システムにおけるアフィリエイト販売の特徴は、一旦販売者ページへユーザを誘導することである。この誘導により、通常のショッピングサイトへ出品した場合の情報不足を補い、購買意欲を駆り立てる効果を狙うことができる。
そこで、アフィリエイト販売システム３０は、アフィリエイタ２のブログやメールマガジンのＷｅｂページ（購入者３の端末の画面上）でアフィリリンクがクリックされると、アフィリリンク内の販売者ページのＵＲＬを取得して、アクセス先のアドレスを販売者ページのＵＲＬアドレスに変換し、そのＵＲＬで示される販売者ページへジャンプさせるようにしている。
《６．販売者ページに設定する購入リンク》
次に、販売者ページに設定する購入リンクについて説明する。
アフィリエイト販売システム３０では、アフィリリンクを用いて販売者ページのＵＲＬにアドレス変換することにより、販売者ページへ誘導するようにしているが、販売者ページへ誘導した場合、実際にユーザに購入して貰わないと販売が成立しないので、予め販売者ページに購入リンク（前述の具体例「ｗｗｗ．ｘｙｚ．ｊｐ／ａ．ｐｈｐ？ｉｔｅｍ＝ｎｎｎ」を参照）を設定しておく。購入者３は、この購入リンクをクリックすることで購入を行うことができる。その際に、販売者ページを経由することで、一般的には紹介者のアフィリエイトＩＤが消えてしまうので、本実施の形態では、アフィリリンクで一旦、クッキーにアフィリエイトＩＤを保存しておき、購入リンクをクリックした際に、アフィリエイトＩＤを復元することで、紹介者のアフィリエイトＩＤを復活させ、そのアフィリエイトＩＤで特定される紹介者に対してアフィリエイト報酬を発生させる方式としている。
上述したアフィリエイト販売処理の流れを図面で示すと図４のようになる。
以下、図４の模式図を参照して、本発明に係るアフィリエイト販売システムの動作例を説明する。なお、図４中のＷｅｂサーバ２０は、販売−者の商品解説ページが設置されているサーバであり、ユーザ端末１１ｃは、購入者（一般ユーザ）の通信端末である。また、図４中の（Ｐ１）〜（Ｐ５）は処理の流れを示し、図４中の矢印は通信ネットワークを介した情報の流れを示している。以下、アフィリエイト販売処理の流れを、（Ｐ１）〜（Ｐ５）の流れに沿って説明する。
（Ｐ１）告知メール
ここで言う「告知メール」とは、アフィリエイタ２が商品を告知し紹介及び販売するため、見込客に向けて配信される販促メールのことを言う。アフィリエイト販売システム３０では、その告知メールの文中にアフィリリンクを設定し、購入の誘導を行う。ここで設定されるアフィリリンクは、前述の第１の例又は第２の例として示したアフィリリンクであるが、図４の例では第１の例としている。すなわち、告知メールの文中には、アフィリエイト販売システム３０のＵＲＬの末尾に（ａ１）アフィリエイトＩＤと（ａ２）販売者ページのＵＲＬと（ａ３）商品ＩＤとを付加した形式のアフィリリンクが設定されている。
（Ｐ２）アフィリリンク情報の保持
ユーザ端末１１ｃの画面上に表示されているメール文中（若しくはプログ等のＷｅｂページ上）のアフィリリンク（図４中のＡＦＩリンク）をユーザがクリックすると、ユーザ端末１１ｃに商品ＩＤ（又は販売者ＩＤ）とアフィリエイトＩＤとを記録したクッキーを設定し、その後ブラウザを閉じたり、パソコンの電源を切ったりしても、クッキーの有効期限までは（例えば設定日から３０日間）は、この情報が再現されるように設定する。
（Ｐ３）アドレス変換
上記Ｐ２において、アフィリリンクがクリックされると、アフィリエイト販売システム３０は、アクセスＵＲＬのアドレス変換手段によって、販売者１のＷｅｂサイトに誘導する。このアドレス変換手段によるＵＲＬのアドレス変換処理について、図５及び図６のフローチャートを用いて説明する。
先ず、図５のフローチャートを参照してアフィリエイトＩＤの取得処理を説明する。
アフィリエイト販売システム３０は、ユーザ端末１１ｃとの間のセッション情報を解析してアフィリエイトＩＤが存在するか否かをチェックし（ステップＳ１１）、アフィリエイトＩＤの有無を判定する（ステップＳ１２）。そして、アフィリエイトＩＤが存在すると判定した場合は、セッション情報からアフィリエイトＩＤを取得し（ステップＳ１３）、アフィリエイトＩＤが存在しないと判定した場合は、クッキーの内容を読み取り、クッキーからアフィリエイトＩＤを取得する（ステップＳ１４）。
上記ロジックは、アフィリリンクから商品の購入へ移行する際に、アフィリエイトＩＤを取得継承する時のアフィリエイトＩＤを取得する方法として、セッションとクッキーを切替えるロジックである。例えば、アフィリリンクからブラウザを閉じないで、商品の購入へ直接移行した場合は、セッションが存在できるため、アフィリエイトＩＤはセッションから取得する。また、例えば販売者、ページのＵＲＬを「お気に入り」などに一旦入れて、後から商品を購入する場合は、パソコンの電源を切ったり、ブラウザを一旦閉じたりするため、セッションは切れてしまい、セッション情報が存在しなくなる。その場合は、アフィリリンク読込み時に設定したクッキーを読込み、アフィリエイトＩＤを取得する。
次に、図６のフローチャートを参照して、アフィリリンクから商品の購入へ移行する際のアドレス変換処理を説明する。
アフィリエイト販売システム３０は、先ず、アフィリリンク内の引数ＵＲＬを取得し（ステップＳ２１）、引数ＵＲＬが空か否かを判定する（ステップＳ２２）。引数ＵＲＬが空でないと判定した場合は、アフィリリンクから販売者ページのＵＲＬを取得し（ステップＳ２３）、引数ＵＲＬが空であると判定した場合は、アフィリリンクの商品ＩＤ（又は販売者ＩＤ）に関連付けられて記憶されている販売者ページのＵＲＬを商品情報データベース４３から取得する（ステップＳ２４）。
そして、アドレス変換手段は、アフィリリンクのクリック操作に応答して、該操作元のユーザ端末１１ｃのアクセス先ＵＲＬを、アフィリエイト販売システム３０のＵＲＬから販売者ページのＵＲＬアドレスに変換することにより、販売者ページのＵＲＬで指定したサイトへ誘導（ジャンプ）させる。前述のアフィリリンクの例では、ＵＲＬを「ｈｔｔｐ：／／ｗｗｗ．ｘｙｚ．ｊｐ」から「ｄｅｆ．ｊｐ／ｇｈｉ．ｈｔｍｌ」にアドレス変換し、「ｄｅｆ．ｊｐ／ｇｈｉ．ｈｉｍｌ」で示される販売者ページのＵＲＬへ移動させる。その際、ＨＴＴＰ（Ｈｙｐｅｒ  Ｔｅｘｔ  Ｔｒａｎｓｆｅｒ  Ｐｒｏｔｏｃｏｌ）のリダイレクト機能（ＬＯＣＡＴＩＯＮ指示レスポンス）を使って、瞬時に表示するページの設定を、販売者ページのＵＲＬに設定するようにしている（ステップＳ２５）。
（Ｐ４）販売者ページの表示
販売者ページのＵＲＬへ移動（ジャンプ）すると、ユーザ端末１１ｃの表示部には、上記（Ｐ３）のアドレス変換で表示設定された販売者ページが表示される。その販売者ページでは、商品ＩＤに対応する商品情報（前述の商品の解説文、商品の写真等）を表示することで、通常のショッピングサイトへ出品した場合と比較して、情報不足を補い、購買意欲を駆り立てる効果を狙うことができる。ユーザは、ユーザ端末１１ｃの表示部に表示されている販売者ページ上の購入リンクをクリックすることで当該商品を購入することができる。
（Ｐ５）購入ページの表示
販売者ページの購入リンクをユーザがクリックすると、アフィリエイト販売システム３０に移動し、アフィリエイト販売システム３０により購入ページの画面データがユーザ端末１１ｃに送信され、購入ページの画面がユーザ端末１１ｃの表示部に表示される。ユーザは、商品の購入する場合は、決済の形態（カード決済、銀行振込決済など）を選択して、希望した商品を購入する。
次に、購入者が商品を購入する際の購入パターンについて説明する。
購入パターンとしては、大別すると、コンテンツ（デジタル商品）をダウンロードして購入するパターン（以下、「第１のパターン」と呼ぶ）、有料メールマガジンに購読登録するパターン（以下、「第２のパターン」と呼ぶ）、物品を購入するパターン（以下、「第３のパターン」と呼ぶ）がある。
図７は、商品の第１の購入パターンにおける画面遷移の例を示す模式図、図８及び９は、商品の第１の購入パターンにおける画面遷移の例を示す模式図、図１０及び図１１は、商品の第１の購入パターンにおける画面遷移の例を示す模式図である。なお、これらの図面中の「Ａ．アフェイリエータコミット」のルートで購入するパターンは、注文が完了した場合に、誘導したと見なされるアフェイリエータに対して報酬が支払われる。また、「Ｂ．販売者コミット」からのルートで購入するパターンは、注文が完了した場合に、誘導した販売者に対して報酬が支払われる。「Ｃ．ＡＢＣ．ホーム」のルートは、アフィリエイト販売システムのＷｅｂページに掲載されている商品を購入するパターンである。各パターンにおけるユーザ端末側の画面遷移は図７〜図１１中に示す通りであり、個々のパターンの説明については省略する。
いずれのパターンであっても、前述の課金処理と決済処理が行われ、商品の購入から決済に到るまでの処理がアフィリエイト販売システム３０において自動的に行われる。また、前述のアドレス変換処理も、いずれのパターンであっても同様に実施される。
なお、上述した実施の形態では、アフィリエイトＩＤ等の情報をクッキーにセットして保存しておき、セッションが切断された場合は、クッキーから紹介者のアフィリエイトＩＤを復元する形態を例として説明したが、その情報をアフィリエイト販売システム３０のデータベースに保存する形態としても良い。すなわち、ユーザ端末の画面上に表示されているアフィリリンクのクリック操作に応答して、商品ＩＤ又は販売者を識別するための販売者ＩＤとアフィリエイトＩＤとを記録した情報を情報記憶媒体に保存する形態としても良い。この形態とすることにより、クライアント端末の種類に依存しない方式とすることができる。また、これにより、ブラウザごとのクッキーの実装の相違によるトラブルや、２０個（サーバ若しくはドメイン毎のクッキー最大数）までしか使えなかったクッキーの制約の問題を回避することができる。
【図１】
2009008091.tif 000003
【図２】
2009008091.tif 000004
【図３】
2009008091.tif 000005
【図４】
2009008091.tif 000006
【図５】
2009008091.tif 000007
【図６】
2009008091.tif 000008
【図７】
2009008091.tif 000009
【図８】
2009008091.tif 000010
【図９】
2009008091.tif 000011
【図１０】
2009008091.tif 000012
【図１１】
2009008091.tif 000013
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報を、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、
前記サーバは、
前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、
前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、
ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、
前記販売者ページには、当該商品の購入を受付ける購入ページへのリンクとして、前記アフィリエイト販売システムのＵＲＬに前記商品ＩＤを付加した購入リンクが予め貼付されており、
更に、前記サーバは、
前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段を有することを特徴とするアフィリエイト販売システム。
【請求項２】
前記誘導リンク生成手段は、前記販売者ページのＵＲＬを前記引数ＵＲＬに含めて前記誘導用リンクを生成すること特徴とする請求項１に記載のアフィリエイト販売システム。
【請求項３】
前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレス変換処理を行うことを特徴とする請求項２に記載のアフィリエイト販売システム。
【請求項４】
前記サーバは、ユーザ端末の画面上に表示されている前記誘導用リンクのクリック操作に応答して、前記商品ＩＤ又は前記販売者ＩＤと前記アフィリエイトＩＤとを記録した情報を情報記憶媒体に記憶する手段を有し、且つ、前記復元手段は、前記アフィリエイトＩＤが前記セッション情報内に存在しないと判定した場合は、前記クッキーを用いずに、前記情報記憶媒体に記憶されている情報に基づいて前記アフィリエイトＩＤを自動的に復元する処理を実行することを特徴とする請求項１に記載のアフィリエイト販売システム。
【請求項５】
前記サーバは、前記購入リンク内の商品ＩＤで特定される商品の注文が完了したと判定した場合に、前記セッション情報又は前記クッキーからアフィリエイトＩＤを取得して、そのアフィリエイトＩＤで特定されるアフィリエイタに支払う報酬額を自動的に決定し、当該金融機関のコンピュータを介して前記アフィリエイタの口座へ自動的に振込む処理を実行する決済手段を更に含むことを特徴とする請求項１に記載のアフィリエイト販売システム。
【手続補正２】
【補正対象書類名】明細書
【補正対象項目名】全文
【補正方法】変更
【補正の内容】
【発明の詳細な説明】
【技術分野】
【０００１】
本発明は、アフィリエイト・プログラムを実施するコンピュータシステムに関する。
【背景技術】
【０００２】
近年、新たな広告手法として、アフィリエイト・プログラム（アソシエイト・プログラムとも言う）が注目されている。
【０００３】
アフィリエイト・プログラムとは、ユーザが何らかのトランザクション（商品の購入、アンケートへの記入、会員登録など）をブラウザにより発生させて初めて広告料がアフィリエイトに支払われる成果報酬型の広告配信手法である。アフィリエイト・プログラムでは、個人や企業のＷｅｂ（ウェブ）サイトやメールマガジンの運営者が、広告主（マーチャント）の広告を自身のサイトに配置し、そのサイトを訪れた訪問客の広告主のＥＣ（Electronic  Commerce）サイトへの誘導をはかるようにしている。そして、誘導された訪問客が広告を経由してＥＣサイトへ進み、サービスや商品の購入、会員申込みなどを達成した際に、誘導元のサイトへの成果報酬が発生するようになっている。
【０００４】
アフィリエイト・プログラムを実施するためには、例えば、ユーザが閲覧したマーチャントサイトを特定し、ブラウザが最終的にトランザクションに関わるイベント（商品購入指示、アンケート記入、会員登録指示など）を発生させるまでの情報流通経路を追跡（トラッキング）する処理を実行する必要がある。このようなトラッキング処理には、クッキー（Cookie）が利用されている。例えば、販売者のサイトにリンク誘導させるＵＲＬの中にトラッキング情報（アフィリエイトＩＤのＵＲＬ）を組み込み、その情報を用いてアフィリエイトに対する成功報酬の計算などを行うようにしたものがある（例えば特許文献１を参照）。
【０００５】
【特許文献１】特開２００６−１１３８８４号公報
【発明の開示】
【発明が解決しようとする課題】
【０００６】
上述のようなクッキーを利用したトラッキング技術は、ユーザ端末がＰＣである場合には有効であるが、携帯電話機のように、情報保存先としてクッキーを使えないユーザ端末では利用することができない。ブラウザを実装した携帯電話機が普及してきた現在、ブラウザフォンのユーザを対象としたアフィリエイト・プログラムの出現が要望されている。
【０００７】
また、アフィリエイト・プログラムの機能を搭載したシステム（以下、「アフィリエイト販売システム」と呼ぶ）にいては、アフィリ誘導用リンクなどが商品毎に固有の機能を持っているのが原則である。従来のアフィリエイト販売システムにおいては、通常の商品販売処理には報酬の支払い漏れの問題がなかったが、例えば、発行者が複数の商品を販売している場合、商品Ａの誘導用リンクで、販売者（発行者）のサイトへ誘導しても、購入者の気が変わって、商品Ｂを購入した場合は、アフィリエイタへの報酬の支払いが成り立たず、報酬が無効となっていました。これは、クッキーで記録する内容が、商品指定コードとアフィリエイトＩＤの組み合わせだからであり、販売者との関連が特定できないことに起因している。
【０００８】
更に、従来のアフィリエイト販売システムにおいては、ヒットカウンタのように販売や紹介カウントにて報酬を支払う方式が標準であり、課金，決済の仕組みを待っていなかった。そのため、請求書を人手で作成して報酬を支払うなど、非効率的であり、入力ミス等が生じる恐れもあった。
【０００９】
本発明は上述のような事情から成されたものであり、本発明の目的は、販売者のＷｅｂページへユーザを自動的に誘導することが可能で、且つアフィリエイタへの報酬の支払い漏れの生じることがないアフィリエイト販売システムを提供することにある。本発明の他の目的は、上記販売者のＷｅｂページへの誘導が可能で且つアフィリエイタに支払う報酬額の自動決済が可能なアフィリエイト販売システムを提供することにある。
【課題を解決するための手段】
【００１０】
本発明は、アフィリエイト・プログラムを実施するコンピュータシステムに関するものであり、本発明の上記目的は、メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、前記サーバは、前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、前記販売者ページには、当該商品の購入を受付ける購入ページへのリンクとして、前記アフィリエイト販売システムのＵＲＬに前記商品ＩＤを付加した購入リンクが予め貼付されており、更に、前記サーバは、前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段を有することによって達成される。
【００１１】
さらに、本発明の上記目的は、前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレス変換処理を行うこと、前記サーバは、ユーザ端末の画面上に表示されている前記誘導用リンクのクリック操作に応答して、前記商品ＩＤ又は前記販売者ＩＤと前記アフィリエイトＩＤとを記録した情報を情報記憶媒体に記憶する手段を有し、且つ、前記復元手段は、前記アフィリエイトＩＤが前記セッション情報内に存在しないと判定した場合は、前記クッキーを用いずに、前記情報記憶媒体に記憶されている情報に基づいて前記アフィリエイトＩＤを自動的に復元する処理を実行すること、前記サーバは、前記購入リンク内の商品ＩＤで特定される商品の注文が完了したと判定した場合に、前記セッション情報又は前記クッキーからアフィリエイトＩＤを取得して、そのアフィリエイトＩＤで特定されるアフィリエイタに支払う報酬額を自動的に決定し、当該金融機関のコンピュータを介して前記アフィリエイタの口座へ自動的に振込む処理を実行する決済手段を更に含むこと、によってそれぞれ一層効果的に達成される。
【発明の効果】
【００１２】
本発明によれば、商品のページに貼り付けた誘導用リンクをユーザが画面上でクリックするだけで、一旦販売者のＷｅｂページへユーザを自動的に誘導することが可能となる。この誘導により、通常のショッピングサイトへ出品した場合の情報不足を補い、購買意欲を駆り立てる効果を奏することができる。また、誘導用リンク内にアフィリエイトＩＤを含めるようにしているので、誘導用リンクからアフィリエイトＩＤを得ることができ、アフィリエイタへの報酬の支払い漏れが生じないアフィリエイトシステムを実現することが可能となる。更に、アフィリエイタの口座へ報酬額を自動的に振込む決済手段を備えることで、請求書を人手で作成して報酬を支払うなど、非効率的な作業をなくすことができると共に、報酬額等の入力ミスや入力データの改竄による不正行為をなくすことが可能となる。
【発明を実施するための最良の形態】
【００１３】
図１は、本発明に係るアフィリエイト販売システムの構成を示す模式図である。
【００１４】
図１に示すアフィリエイト販売システム３０は、ＡＳＰ（Affiliate  Service  Provider）が運営管理する情報処理システムであり、報酬料金の課金，決済システムを含めて、アフィリエイトサービスに係る全ての処理を行うコンピュータシステムである。アフィリエイト販売システム３０は、Ｗｅｂサーバ、データベースサーバ、決済処理用サーバ、及び運営管理用サーバなど、アフィリエイト・プログラムを実現するための複数のコンピュータとデータベースとを備えている。
【００１５】
アフィリエイト販売システム３０内のデータベースサーバは、主要なデータベース（ＤＢ）として、図１中に示すように、商品の販売者１（発行者又は商品提供者とも言う）の情報を格納する販売者情報データベース４１、アフィリエイタ２の情報を格納するアフィリエイタ情報データベース４２、販売対象となる商品の情報を格納する商品情報データベース４３、及び購入者３の情報を格納する購入者情報データベース４４を備えている。
【００１６】
販売者１の通信端末１１ａ、アフィリエイタ２の通信端末１１ｂ、及び購入者３の通信端末１１ｃは、それぞれブラウザを実装したユーザ端末であり、各ユーザ端末とアフィリエイト販売システム３０とは、インターネット等の通信ネットワークを介して相互に通信可能に接続される。各通信端末１１ａ〜１１ｃは、パーソナルコンピュータ（ＰＣ）、携帯電話機、ＰＤＡ（Personal  Digital  Assistants）など、インターネット接続機能を有する任意の情報処理装置を利用することができる。
【００１７】
なお、アフィリエイト販売に係る情報処理をコンピュータに実行させるためのプログラム及び制御データ類は、外部記憶媒体に格納されていると共に、アフィリエイト販売システム３０内の当該コンピュータの記憶手段に格納されている。
【００１８】
ここで、販売者１、アフィリエイタ２、購入者３について説明する。
【００１９】
本実施形態で言う「販売者」とは、電子商材を販売し、購入者に対して商品を提供する人（商品の発行者や出品者など、商品提供者）のことを指している。販売者１の情報としては、アフィリエイト販売システム３０が有するサービスを受けるため、販売者１の名前，住所などのユーザ情報が販売者情報データベース４１に登録されている。
【００２０】
「アフィリエイタ」とは、自身のサイトで商品発行者の商品を紹介販売することで貰える販売マージンを稼ぐ人（紹介者）のことを指している。アフィリエイタ２の情報としては、アフィリエイト販売システム３０が提供するサービスを受けるため、アフィリエイタ２の名前，住所などのユーザ情報がアフィリエイタ情報データベース４２に登録されている。
【００２１】
「購入者」とは、出品された商品等を購入する人のことを指している。購入者３の情報としては、アフィリエイト販売システム３０にて販売者１（商品提供者）からの商品発送やサービス提供を受けるために、購入者３の名前、住所などのユーザ情報が購入者情報データベース４４に登録されている。
【００２２】
このような構成において、先ず、アフィリエイト販売システム３０における課金処理と決済処理について説明する。
【００２３】
本発明に係るアフィリエイト販売システム３０は、購入者３が商品を購入する際の課金処理を行う課金手段を備えており、購入者３が購入した商品の代金は、一旦全てアフィリエイト販売システム３０の運営会社の口座に入金される。アフィリエイト販売システム３０では、販売者１への売上支払い金額の中から、アフィリエイタ２への紹介報酬の振込金額を控除し、本システム利用料を差し引いた上で、販売者１の口座へ自動的に振込むようにしている。同様に、アフィリエイタ２に対しても、アフィリエイタ２の口座へ自動的に振込むことによって報酬を支払うようにしている。
【００２４】
それらの報酬の支払処理に係る情報処理手段として、アフィリエイト販売システム３０は、課金手段によってデータベースに蓄積して記憶される課金情報、及びデータベース４１，４２に登録されているユーザ情報に基づき、アフィリエイタ２に支払う報酬額（及び販売者１に支払う代金）を自動的に決定する手段と、決定された報酬額（及び代金）の情報に基づいて決済データを生成する手段と、例えばスケジュール情報に基づいてバッチ処理プログラムを起動し、決済データに基づいて当該金融機関のコンピュータとの間で決済処理を自動的に実行する手段とを備えている。
【００２５】
上記報酬の支払処理は、アフィリエイト販売システム３０の決済処理用サーバによって実行される。例えば、仮に1月に発生した売上があると仮定すると、１月に発生した売上は、例えば２月２５日に販売者１に対し報酬を支払い、2月末にはアフィリエイタ２に対して、販売者１の売上よりアフィリエイト報酬（報酬額は販売者１により異なる額）を支払う。なお、決済の形態としては、カード決済と銀行振込決済とが選択可能である。
【００２６】
次に、アドレス変換を使ったアフィリエイト販売処理について説明する。
【００２７】
本発明のアフィリエイト販売システム３０が有するアフィリエイト販売の仕組みは、メールマガジンなどに貼り付けたリンクで、販売者１のＷｅｂサイトにアドレス変換手段にて、リンク誘導して、そこに貼り付けた購入リンクで購入させるものである。
【００２８】
本実施の形態においては、販売者１のＷｅｂサイトにリンク誘導させるためのリンク情報（以下「アフィリリンク」又は「誘導用リンク」と呼ぶ）として、アフィリエイト販売システム３０のＵＲＬに、アフィリエイタ２を識別するためのＩＤ（以下「アフィリエイトＩＤ」と呼ぶ）と、販売者ページ（販売者１のＷｅｂページ）のＵＲＬと、商品を識別するための商品ＩＤとを、引数（「引数ＵＲＬ」と呼ぶ）として付加したＵＲＬ情報を、生成する手段（以下「誘導リンク生成手段」と呼ぶ）を備えている。
【００２９】
誘導リンク生成手段では、例えば、アフィリエイト販売システム３０のＷｅｂ際とサーバのドメイン名を「WWW.xyz.JP」、アフィリエイトＩＤを「abc」、販売者ページのＵＲＬを「def.JP/ghi.html」、商品ＩＤを「nnn」とすると、次のようなアフィリリンクを生成する。言い換えると、誘導リンク生成手段は、アフィリエイト販売システム３０のＵＲＬの下位に、（a1）アフィリエイトＩＤと（a2）販売者ページのＵＲＬと（a3）商品ＩＤとを引数として付加したリンク情報を生成する。
＜アフィリリンク（誘導用リンク）の一例＞
http://www.xyz.jp/af.php?af=abc&url=def.jp/ghi.html&item=nnn
本例では、“af=”の後ろに付いているコードが紹介者であるアフィリエイトＩＤ、“url=”の後ろに付いているＵＲＬが販売者ページのＵＲＬ、“item=”の後ろに付いている情報が、商品ＩＤ（システム内ユニーク番号）としている。
【００３０】
このアフィリリンクで誘導されると、アフィリエイト販売システム３０は、購入見込客の通信端末１１ｃに、商品ＩＤ（又は販売者１のＩＤ）とアフィリエイタ２のＩＤとを記録したクッキーを設定する。言い換えると、購入者３による画面上での誘導用リンクのクリック操作に応答して、購入者端末１１ｃに、商品ＩＤ又は販売者ＩＤとアフィリエイトＩＤとを記録したクッキーを設定する手段を備えている。これにより、誰がその商品の紹介者であったのかを、クッキーが有効期限α日間（例えばα＝３０）保持することができる。
【００３１】
そのため、この段階で、購入見込客がＵＲＬアドレス（アフィリリンクを組み込んだＵＲＬアドレス）をブラウザの「お気に入りリスト」に入れた場合、購入見込客が、後から商品（商品ＩＤで特定される商品）を購入してもα日の有効期限内であれば、その商品の紹介者（アフィリエイタ２）が誰であるかが固定されていることになる。
【００３２】
販売者ページには、この仕組みにて商品が購入されるように、以下の例に示すように、商品ＩＤ「nnn」のリンク（「購入リンク」と呼ぶ）を設定する。
＜購入リンクの一例＞
www.xyz.jp/a.php?item=nnn
本例では、「item=」の後ろについているのが、商品ＩＤである。ここでは、紹介者であるアフィリエイトＩＤは記述されていない。その理由は、クッキーまたはセッションによりアフィリエイトＩＤを記憶して保持するようにしており、アフィリエイトＩＤは、ユーザには見えない所で復元されて機能しているからである。
【００３３】
このＵＲＬアドレス変換を含んだ仕組みが、本発明に係るアフィリエイト販売システムの最大の特徴である。
【００３４】
以下、具体的な実施例を示して、上記アドレス変換に係るアフィリエイト販売システム３０の処理について説明する。なお、ここでは、必要な情報の登録処理を含めて順次説明し、アドレス変換に係るシステム全体の動作例は後述するものとする。
《１．販売者情報の登録処理》
図２は、販売者情報の登録処理の流れを示すフローチャートであり、販売者１の情報の登録処理を同図の流れに沿って説明する。
【００３５】
販売者１は、ＰＣ等の通信端末１１ａからアフィリエイト販売システム３０内のＷｅｂサーバにアクセスし、Ｗｅｂページ内の販売者情報の登録メニューをクリックする。アフィリエイト販売システム３０では、販売者の仮登録画面を通信端末１１ａ側の表示部に表示する。販売者の仮登録画面にはメールアドレスの入力欄が設けられており、販売者１に対して、先ず電子メールアドレスの入力を促す（ステップＳ１）。メールアドレスのデータを受信したＷｅｂサーバは、正式登録用ＵＲＬをメールで通知し、仮登録の受付処理を完了する（ステップＳ２）。
【００３６】
通信端末１１ａから正式登録用ＵＲＬによってアクセスされたＷｅｂサーバは、正式登録画面を通信端末１１ａ側の表示部に表示し、クレジットカードの情報（カード番号，有効期限）と初期登録料の情報を入力し、初期登録料のクレジット決済処理を実行する。本実施の形態では、クレジット決済が正常に終了した場合に、販売者１が審査基準を満たしていると判定し（ステップＳ３）、販売者１の正式登録処理を実行する。販売者１の正式登録画面には、販売者情報（販売者１の名前、住所、電話番号、パスワード、銀行口座情報、販売者ＩＤ等）の入力欄が設けられており、Ｗｅｂサーバは、その販売者情報を受信し、販売者ＩＤ等で検索可能に、販売者情報データベース４１に登録し（ステップＳ４）、販売者情報の登録処理を完了する（ステップＳ５）。ここでの販売者情報の登録は、法規上の販売者情報の蓄積と売上の振込情報を蓄積することが主な目的である。なお、アフィリエイト販売システム３０のサイト内では、販売者のことを「発行者」と呼んでいるが、本実施の形態では「販売者」と称している。
《２．アフィリエイタ情報の登録処理》
次に、アフィリエイタ２の情報の登録処理を説明する。なお、情報の登録処理に係る動作は、販売者情報の登録処理と同様であり、以下、簡略化して説明する。
【００３７】
アフィリエイタ２の通信端末１１ｂの表示部に表示される情報登録画面には、アフィリエイタ情報（アフィリエイタ２の名前、住所、電話番号、秘密の鍵（パスワード）、銀行口座情報、アフィリエイトＩＤ等）が設けられており、Ｗｅｂサーバは、そのアフィリエイタ情報を受信し、アフィリエイトＩＤ等で検索可能に、アフィリエイタ情報データベース４２に登録する。そのアフィリエイトＩＤは、販売における紹介ＩＤとなる。
《３．商品情報の登録処理》
次に、販売者１が発行（出品）する商品の情報の登録処理を説明する。
【００３８】
図３は、販売者１の通信端末１１ａの表示部に表示される商品情報登録画面の一例を示している。商品情報登録画面には、商品名、提供価格、商品の解説文、販売者ページのＵＲＬ、商品の写真（図３の次の画面：図は省略）等の入力欄が設けられており、販売者１は、販売を希望する商品の情報を画面上で入力する。Ｗｅｂサーバは、その商品情報を受信し、商品ＩＤを自動的に付与し（本例ではシステム固有の商品番号ｎｎｎを採番）、商品ＩＤ、販売者を識別するための販売者ＩＤ等で検索可能に、商品情報データベース４３に登録する。
《４．アフィリエイト・リンクの生成処理》
次に、販売者１のウェブページに誘導させるアフィリエイト・リンク（前述のアフィリリンク）の生成処理を説明する。
【００３９】
先ず、前述のアフィリエイタ情報を登録したアフィリエイタ２は、自身のサイトで商品を紹介したい場合は、通信端末１１ｂからアフィリエイト販売システム３０にアクセスする。アフィリエイト販売システム３０は、ログインＩＤ、パスワードのチェックによってアフィリエイタ２の認証を行った後、商品の一覧を示す商品リストの画面を通信端末１１ｂの表示部に表示する。アフィリエイタ２は、商品リストの中から好みの商品を選び、前述の誘導リンク生成手段によって生成される以下のアフィリリンクを、自分のブログやメールマガジンに貼り付けることによって、購入者を誘導する。なお、以下に示す第１の例は、前述のアフィリリンクの例と同一構成のため、ここでは説明を省略する。
＜アフィリリンク（誘導用リンク）の第１の例＞
http://www.xyz.jp/af.php?af=abc&url=def.jp/ghi.html&item=nnn
（af=の後の情報がアフィリエイトＩＤ、url=の後の情報が販売者ページのＵＲＬ、item=の後の情報が商品ＩＤ）
例えば、購入者３（購入希望者）が、アフィリエイタ２のブログのＷｅｂ画面上で上記アフィリリンクをクリックすると、最初のアクセス先であるアフィリエイト販売システム３０を介して、リンク先である販売者ページのＵＲＬ（本例では「def.JP/ghi.html」）に移動し、購入者３の通信端末１１ｃの表示部に、商品ＩＤ「nnn」に対応する商品の情報が表示される。その際、アフィリエイト販売システム３０は、アフィリリンク内の商品ＩＤを基に、当該商品（商品ＩＤ=“nnn”で特定される商品）の情報を商品情報データベース４３から抽出すると共に、アフィリリンク内の販売者ページのＵＲＬ（url=“*****…”、本例では“def.jp/ghi.html”）から、アクセス先の販売者ページのＵＲＬを認識する。更に、アフィリエイト販売システム３０は、アフィリリンク内のアフィリエイトＩＤ（af=“*****…”、本例では“abc”）基に、当該商品の紹介者（アフィリエイタ２）を特定し、アフィリエイタ情報データベース４２から、アフィリエイタ２の情報を抽出する。
【００４０】
次に、アフィリリンクの第２の例について説明する。
【００４１】
「３．商品情報の登録処理」で説明したように、商品情報データベース４３に登録されている商品情報の中には、「販売者ページのＵＲＬ」の情報も含まれている。そこで、アフィリリンクは以下の形式でも実現可能である。
＜アフィリリンク（誘導用リンク）の第２の例＞
http://www.xyz.jp/af.php?af=abc&item=nnn
（af=の後の情報がアフィリエイトＩＤ、item=の後の情報が商品ＩＤ）
アフィリリンクの第１の例では、誘導リンク生成手段により生成するアフィリリンクは、アフィリリンク内に販売者ページのＵＲＬを含める形式としていたが、第２の例では、販売者ページのＵＲＬは、商品ＩＤ又は販売者ＩＤを基に商品情報データベース４３から得た商品情報より再現する。なお、いずれの例としても良いが、第１の例の方が処理速度の点などで好ましい。
《５．アドレス変換による販売者ページへの誘導処理》
次に、販売者ページへの誘導処理について説明する。
【００４２】
本発明に係るアフィリエイト販売システムにおけるアフィリエイト販売の特徴は、一旦販売者ページへユーザを誘導することである。この誘導により、通常のショッピングサイトへ出品した場合の情報不足を補い、購買意欲を駆り立てる効果を狙うことができる。
【００４３】
そこで、アフィリエイト販売システム３０は、アフィリエイタ２のブログやメールマガジンのＷｅｂページ（購入者３の端末の画面上）でアフィリリンクがクリックされると、アフィリリンク内の販売者ページのＵＲＬを取得して、アクセス先のアドレスを販売者ページのＵＲＬアドレスに変換し、そのＵＲＬで示される販売者ページへジャンプさせるようにしている。
《６．販売者ページに設定する購入リンク》
次に、販売者ページに設定する購入リンクについて説明する。
【００４４】
アフィリエイト販売システム３０では、アフィリリンクを用いて販売者ページのＵＲＬにアドレス変換することにより、販売者ページへ誘導するようにしているが、販売者ページへ誘導した場合、実際にユーザに購入して貰わないと販売が成立しないので、予め販売者ページに購入リンク（前述の具体例「www.xyz.jp/a.php?item=nnn」を参照）を設定しておく。購入者３は、この購入リンクをクリックすることで購入を行うことができる。その際に、販売者ページを経由することで、一般的には紹介者のアフィリエイトＩＤが消えてしまうので、本実施の形態では、アフィリリンクで一旦、クッキーにアフィリエイトＩＤを保存しておき、購入リンクをクリックした際に、アフィリエイトＩＤを復元することで、紹介者のアフィリエイトＩＤを復活させ、そのアフィリエイトＩＤで特定される紹介者に対してアフィリエイト報酬を発生させる方式としている。
【００４５】
上述したアフィリエイト販売処理の流れを図面で示すと図４のようになる。
【００４６】
以下、図４の模式図を参照して、本発明に係るアフィリエイト販売システムの動作例を説明する。なお、図４中のＷｅｂサーバ２０は、販売者の商品解説ページが設置されているサーバであり、ユーザ端末１１ｃは、購入者（一般ユーザ）の通信端末である。また、図４中の（Ｐ１）〜（Ｐ５）は処理の流れを示し、図４中の矢印は通信ネットワークを介した情報の流れを示している。以下、アフィリエイト販売処理の流れを、（Ｐ１）〜（Ｐ５）の流れに沿って説明する。
（Ｐ１）告知メール
ここで言う「告知メール」とは、アフィリエイタ２が商品を告知し紹介及び販売するため、見込客に向けて配信される販促メールのことを言う。アフィリエイト販売システム３０では、その告知メールの文中にアフィリリンクを設定し、購入の誘導を行う。ここで設定されるアフィリリンクは、前述の第１の例又は第２の例として示したアフィリリンクであるが、図４の例では第１の例としている。すなわち、告知メールの文中には、アフィリエイト販売システム３０のＵＲＬの末尾に（a1）アフィリエイトＩＤと（a2）販売者ページのＵＲＬと（a3）商品ＩＤとを付加した形式のアフィリリンクが設定されている。
（Ｐ２）アフィリリンク情報の保持
ユーザ端末１１ｃの画面上に表示されているメール文中（若しくはプログ等のＷｅｂページ上）のアフィリリンク（図４中のＡＦＩリンク）をユーザがクリックすると、ユーザ端末１１ｃに商品ＩＤ（又は販売者ＩＤ）とアフィリエイトＩＤとを記録したクッキーを設定し、その後ブラウザを閉じたり、パソコンの電源を切ったりしても、クッキーの有効期限までは（例えば設定日から３０日間）は、この情報が再現されるように設定する。
（Ｐ３）アドレス変換
上記Ｐ２において、アフィリリンクがクリックされると、アフィリエイト販売システム３０は、アクセスＵＲＬのアドレス変換手段によって、販売者１のＷｅｂサイトに誘導する。このアドレス変換手段によるＵＲＬのアドレス変換処理について、図５及び図６のフローチャートを用いて説明する。
【００４７】
先ず、図５のフローチャートを参照してアフィリエイトＩＤの取得処理を説明する。
【００４８】
アフィリエイト販売システム３０は、ユーザ端末１１ｃとの間のセッション情報を解析してアフィリエイトＩＤが存在するか否かをチェックし（ステップＳ１１）、アフィリエイトＩＤの有無を判定する（ステップＳ１２）。そして、アフィリエイトＩＤが存在すると判定した場合は、セッション情報からアフィリエイトＩＤを取得し（ステップＳ１３）、アフィリエイトＩＤが存在しないと判定した場合は、クッキーの内容を読み取り、クッキーからアフィリエイトＩＤを取得する（ステップＳ１４）。
【００４９】
上記ロジックは、アフィリリンクから商品の購入へ移行する際に、アフィリエイトＩＤを取得継承する時のアフィリエイトＩＤを取得する方法として、セッションとクッキーを切替えるロジックである。例えば、アフィリリンクからブラウザを閉じないで、商品の購入へ直接移行した場合は、セッションが存在できるため、アフィリエイトＩＤはセッションから取得する。また、例えば販売者ページのＵＲＬを「お気に入り」などに一旦入れて、後から商品を購入する場合は、パソコンの電源を切ったり、ブラウザを一旦閉じたりするため、セッションは切れてしまい、セッション情報が存在しなくなる。その場合は、アフィリリンク読込み時に設定したクッキーを読込み、アフィリエイトＩＤを取得する。
【００５０】
次に、図６のフローチャートを参照して、アフィリリンクから商品の購入へ移行する際のアドレス変換処理を説明する。
【００５１】
アフィリエイト販売システム３０は、先ず、アフィリリンク内の引数ＵＲＬを取得し（ステップＳ２１）、引数ＵＲＬが空か否かを判定する（ステップＳ２２）。引数ＵＲＬが空でないと判定した場合は、アフィリリンクから販売者ページのＵＲＬを取得し（ステップＳ２３）、引数ＵＲＬが空であると判定した場合は、アフィリリンクの商品ＩＤ（又は販売者ＩＤ）に関連付けられて記憶されている販売者ページのＵＲＬを商品情報データベース４３から取得する（ステップＳ２４）。
【００５２】
そして、アドレス変換手段は、アフィリリンクのクリック操作に応答して、該操作元のユーザ端末１１ｃのアクセス先ＵＲＬを、アフィリエイト販売システム３０のＵＲＬから販売者ページのＵＲＬアドレスに変換することにより、販売者ページのＵＲＬで指定したサイトへ誘導（ジャンプ）させる。前述のアフィリリンクの例では、ＵＲＬを「http://www.xyz.jp」から「def.jp/ghi.html」にアドレス変換し、「def.jp/ghi.html」で示される販売者ページのＵＲＬへ移動させる。その際、ＨＴＴＰ（Hyper  Text  Transfer  Protocol）のリダイレクト機能（LOCATION指示レスポンス）を使って、瞬時に表示するページの設定を、販売者ページのＵＲＬに設定するようにしている（ステップＳ２５）。
（Ｐ４）販売者ページの表示
販売者ページのＵＲＬへ移動（ジャンプ）すると、ユーザ端末１１ｃの表示部には、上記（Ｐ３）のアドレス変換で表示設定された販売者ページが表示される。その販売者ページでは、商品ＩＤに対応する商品情報（前述の商品の解説文、商品の写真等）を表示することで、通常のショッピングサイトへ出品した場合と比較して、情報不足を補い、購買意欲を駆り立てる効果を狙うことができる。ユーザは、ユーザ端末１１ｃの表示部に表示されている販売者ページ上の購入リンクをクリックすることで当該商品を購入することができる。
（Ｐ５）購入ページの表示
販売者ページの購入リンクをユーザがクリックすると、アフィリエイト販売システム３０に移動し、アフィリエイト販売システム３０により購入ページの画面データがユーザ端末１１ｃに送信され、購入ページの画面がユーザ端末１１ｃの表示部に表示される。ユーザは、商品の購入する場合は、決済の形態（カード決済、銀行振込決済など）を選択して、希望した商品を購入する。
【００５３】
次に、購入者が商品を購入する際の購入パターンについて説明する。
【００５４】
購入パターンとしては、大別すると、コンテンツ（デジタル商品）をダウンロードして購入するパターン（以下、「第１のパターン」と呼ぶ）、有料メールマガジンに購読登録するパターン（以下、「第２のパターン」と呼ぶ）、物品を購入するパターン（以下、「第３のパターン」と呼ぶ）がある。
【００５５】
図７は、商品の第１の購入パターンにおける画面遷移の例を示す模式図、図８及び９は、商品の第１の購入パターンにおける画面遷移の例を示す模式図、図１０及び図１１は、商品の第１の購入パターンにおける画面遷移の例を示す模式図である。なお、これらの図面中の「Ａ．アフェイリエータコミット」のルートで購入するパターンは、注文が完了した場合に、誘導したと見なされるアフェイリエータに対して報酬が支払われる。また、「Ｂ．販売者コミット」からのルートで購入するパターンは、注文が完了した場合に、誘導した販売者に対して報酬が支払われる。「Ｃ．ＡＢＣ．ホーム」のルートは、アフィリエイト販売システムのＷｅｂページに掲載されている商品を購入するパターンである。各パターンにおけるユーザ端末側の画面遷移は図７〜図１１中に示す通りであり、個々のパターンの説明については省略する。
【００５６】
いずれのパターンであっても、前述の課金処理と決済処理が行われ、商品の購入から決済に到るまでの処理がアフィリエイト販売システム３０において自動的に行われる。また、前述のアドレス変換処理も、いずれのパターンであっても同様に実施される。
【００５７】
なお、上述した実施の形態では、アフィリエイトＩＤ等の情報をクッキーにセットして保存しておき、セッションが切断された場合は、クッキーから紹介者のアフィリエイトＩＤを復元する形態を例として説明したが、その情報をアフィリエイト販売システム３０のデータベースに保存する形態としても良い。すなわち、ユーザ端末の画面上に表示されているアフィリリンクのクリック操作に応答して、商品ＩＤ又は販売者を識別するための販売者ＩＤとアフィリエイトＩＤとを記録した情報を情報記憶媒体に保存する形態としても良い。この形態とすることにより、クライアント端末の種類に依存しない方式とすることができる。また、これにより、ブラウザごとのクッキーの実装の相違によるトラブルや、２０個（サーバ若しくはドメイン毎のクッキー最大数）までしか使えなかったクッキーの制約の問題を回避することができる。
【図面の簡単な説明】
【００５８】
【図１】本発明に係るアフィリエイト販売システムの構成を示す模式図である。
【図２】本発明に係る販売者情報の登録処理を説明するためのフローチャートである。
【図３】本発明における商品情報登録画面の一例を示す模式図である。
【図４】本発明に係わるアフィリエイト販売処理を説明するための模式図である。
【図５】本発明に係わるアフィリエイトＩＤの取得処理を説明するためのフローチャートである。
【図６】本発明に係わるアドレス変換処理を説明するためのフローチャートである。
【図７】本発明における商品の第１の購入パターンにおける画面遷移の例を示す模式図である。
【図８】本発明における商品の第２の購入パターンにおける画面遷移の例を示す模式図である。
【図９】図８の分図である。
【図１０】本発明における商品の第３の購入パターンにおける画面遷移の例を示す模式図である。
【図１１】図１０の分図である。
【符号の説明】
【００５９】
１    販売者
２    アフィリエイタ
３    購入者
１１ａ，１１ｂ，１１ｃ  クライアント（通信端末）
２０  販売者のページが掲載されているＷｅｂサーバ
３０  アフィリエイト販売システム
４１  販売者情報データベース
４２  アフィリエイタ情報データベース
４３  商品情報データベース
４４  購入者情報データベース
【手続補正３】
【補正対象書類名】図面
【補正対象項目名】図１
【補正方法】変更
【補正の内容】
【図１】
2009008091.tif 000014
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報を、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、
前記サーバは、
前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、
前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、
ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、
前記販売者ページには、当該商品の購入を受付ける購入ページへのリンクとして、前記アフィリエイト販売システムのＵＲＬに前記商品ＩＤを付加した購入リンクが予め貼付されており、
更に、前記サーバは、
前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段と、
前記購入リンク内の商品ＩＤで特定される商品の注文が完了したと判定した場合に、前記セッション情報又は前記クッキーからアフィリエイトＩＤを取得して、そのアフィリエイトＩＤで特定されるアフィリエイタに支払う報酬額を自動的に決定すると共に、前記商品ＩＤで特定される商品の販売者に支払う売上支払金額を自動的に決定し、アフィリエイタに対する支払期日と販売者に対する支払期日とがそれぞれ予め設定されているスケジュール情報に基づいて、当該金融機関のコンピュータを介して前記アフィリエイタの口座及び前記販売者の口座へそれぞれ当該支払期日に自動的に振込む処理を実行する決済手段と、
を有することを特徴とするアフィリエイト販売システム。
【請求項２】
前記誘導リンク生成手段は、前記販売者ページのＵＲＬを前記引数ＵＲＬに含めて前記誘導用リンクを生成することを特徴とする請求項１に記載のアフィリエイト販売システム。
【請求項３】
前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレス変換処理を行うことを特徴とする請求項２に記載のアフィリエイト販売システム。
【手続補正２】
【補正対象書類名】明細書
【補正対象項目名】００１０
【補正方法】変更
【補正の内容】
【００１０】
本発明は、アフィリエイト・プログラムを実施するコンピュータシステムに関するものであり、本発明の上記目的は、メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報を、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、前記サーバは、前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、前記販売者ページには、当該商品の購入を受付ける購入ページへのリンクとして、前記アフィリエイト販売システムのＵＲＬに前記商品ＩＤを付加した購入リンクが予め貼付されており、更に、前記サーバは、前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段と、前記購入リンク内の商品ＩＤで特定される商品の注文が完了したと判定した場合に、前記セッション情報又は前記クッキーからアフィリエイトＩＤを取得して、そのアフィリエイトＩＤで特定されるアフィリエイタに支払う報酬額を自動的に決定すると共に、前記商品ＩＤで特定される商品の販売者に支払う売上支払金額を自動的に決定し、アフィリエイタに対する支払期日と販売者に対する支払期日とがそれぞれ予め設定されているスケジュール情報に基づいて、当該金融機関のコンピュータを介して前記アフィリエイタの口座及び前記販売者の口座へそれぞれ当該支払期日に自動的に振込む処理を実行する決済手段と、を有することによって達成される。
【手続補正３】
【補正対象書類名】明細書
【補正対象項目名】００１１
【補正方法】変更
【補正の内容】
【００１１】
さらに、本発明の上記目的は、前記誘導リンク生成手段は、前記販売者ページのＵＲＬを前記引数ＵＲＬに含めて前記誘導用リンクを生成すること、前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレス変換処理を行うこと、によってそれぞれ一層効果的に達成される。
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報を、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、
前記サーバは、
前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、
前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、
ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、
前記販売者ページには、当該商品の購入を受付ける購入ページへのリンクとして、前記アフィリエイト販売システムのＵＲＬに前記商品ＩＤを付加した購入リンクが予め貼付されており、
更に、前記サーバは、
前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段と、
前記購入リンク内の商品ＩＤで特定される商品の注文が完了したと判定した場合に、前記セッション情報又は前記クッキーからアフィリエイトＩＤを取得して前記商品の紹介者であるアフィリエイタを特定すると共に、前記購入リンクに基づいて前記商品を購入する際の課金処理を行って前記アフィリエイト販売システム内の記憶手段に記憶した課金情報、及び前記データベースに予め登録されているアフィリエイタ情報及び販売者情報に基づいて、前記アフィリエイタに支払う報酬額と前記商品の販売者に支払う売上支払金額とを自動的に決定し、決定した前記報酬額と前記売上支払金額とに基づいて生成した決済情報、及びアフィリエイタに対する支払期日と販売者に対する支払期日とがそれぞれ予め設定されているスケジュール情報に基づいて、当該金融機関のコンピュータを介して前記アフィリエイタの口座及び前記販売者の口座へそれぞれ当該支払期日に自動的に振込む処理を実行する決済手段と、
を有することを特徴とするアフィリエイト販売システム。
【請求項２】
前記誘導リンク生成手段は、前記販売者ページのＵＲＬを前記引数ＵＲＬに含めて前記誘導用リンクを生成することを特徴とする請求項１に記載のアフィリエイト販売システム。
【請求項３】
前記アドレス変換手段は、前記誘導用リンク内の引数ＵＲＬを取得すると共に、その引数ＵＲＬに含まれる前記販売者ページのＵＲＬを取得し、該ＵＲＬに基づき、前記アドレス変換処理を行うことを特徴とする請求項２に記載のアフィリエイト販売システム。
【手続補正２】
【補正対象書類名】明細書
【補正対象項目名】００１０
【補正方法】変更
【補正の内容】
【００１０】
本発明は、アフィリエイト・プログラムを実施するコンピュータシステムに関するものであり、本発明の上記目的は、メールマガジン又はブログ上にアフィリエイタによって紹介された商品の紹介ページに貼付した誘導用リンクに基づいて前記商品の販売者のＷｅｂページである販売者ページに誘導する機能を有するサーバと、販売対象の商品の解説文及び前記販売者ページのＵＲＬを含む商品情報を、当該商品を識別するための商品ＩＤ及びその商品の販売者を識別するための販売者ＩＤと関連付けて格納すると共に、前記アフィリエイタの認証情報を含むアフィリエイタ情報を、当該アフィリエイタを識別するためのアフィリエイトＩＤと関連付けて格納するデータベースとを備えたアフィリエイト販売システムであって、前記サーバは、前記アフィリエイタの通信端末からの要求を受信し、前記認証情報に基づいて当該アフィリエイタの認証処理を行った後、前記商品情報を参照して販売対象の商品一覧を示す商品画面を前記通信端末に送信する手段と、前記商品画面上で選択された商品の商品ＩＤと当該アフィリエイタのアフィリエイトＩＤとを前記データベースから得て、それらのアフィリエイトＩＤと商品ＩＤとを引数ＵＲＬとして、該引数ＵＲＬを前記アフィリエイト販売システムのＵＲＬに付加したＵＲＬ情報を前記誘導用リンクとして自動生成する誘導リンク生成手段と、ユーザ端末に表示された前記紹介ページの表示画面上で前記誘導用リンクがクリックされると、前記誘導用リンク内のアフィリエイトＩＤと商品ＩＤとを記録したクッキーを前記ユーザ端末に設定すると共に、前記誘導用リンク内の商品ＩＤを基に当該商品の販売者ページのＵＲＬを前記データベースから得て、前記ユーザ端末のアクセス先ＵＲＬを前記アフィリエイト販売システムのＵＲＬから前記販売者ページのＵＲＬに自動変換するアドレス変換処理を実行することにより、前記ユーザ端末のブラウザを前記販売者ページへ誘導し、且つ前記ユーザ端末との間のセッション情報に前記アフィリエイトＩＤを保持した状態で前記販売者ページへ移動させるアドレス変換手段と、を含み、前記販売者ページには、当該商品の購入を受付ける購入ページへのリンクとして、前記アフィリエイト販売システムのＵＲＬに前記商品ＩＤを付加した購入リンクが予め貼付されており、更に、前記サーバは、前記ユーザ端末の表示画面上で前記購入リンクがクリックされると、前記ユーザ端末との間のセッション情報を解析して前記アフィリエイトＩＤが存在するか否かをチェックし、前記アフィリエイトＩＤが存在すると判定した場合は、前記セッション情報から前記アフィリエイトＩＤを取得し、前記アフィリエイトＩＤが存在しないと判定した場合は、前記クッキーの内容を読み取り、該クッキーから前記アフィリエイトＩＤを取得して、前記購入リンク内の商品ＩＤで特定される商品を紹介したアフィリエイトのアフィリエイトＩＤを自動的に復元する処理を実行する復元手段と、前記購入リンク内の商品ＩＤで特定される商品の注文が完了したと判定した場合に、前記セッション情報又は前記クッキーからアフィリエイトＩＤを取得して
前記商品の紹介者であるアフィリエイタを特定すると共に、前記購入リンクに基づいて前記商品を購入する際の課金処理を行って前記アフィリエイト販売システム内の記憶手段に記憶した課金情報、及び前記データベースに予め登録されているアフィリエイタ情報及び販売者情報に基づいて、前記アフィリエイタに支払う報酬額と前記商品の販売者に支払う売上支払金額とを自動的に決定し、決定した前記報酬額と前記売上支払金額とに基づいて生成した決済情報、及びアフィリエイタに対する支払期日と販売者に対する支払期日とがそれぞれ予め設定されているスケジュール情報に基づいて、当該金融機関のコンピュータを介して前記アフィリエイタの口座及び前記販売者の口座へそれぞれ当該支払期日に自動的に振込む処理を実行する決済手段と、を有することによって達成される。
【国際調査報告】
2009008091.tif 000015
2009008091.tif 000016